(57)【要約】【課題】落下時の衝撃などに対してケース同士の嵌合を強固に保つ一方で、保守時などにはケース同士の嵌合を解除し易くする。【解決手段】携帯機１００は、上ケース１と、下ケース２と、上ケース１の周縁部１ａ〜１ｄに複数設けられた凸形係合部１ｅ〜１ｈと、該凸形係合部１ｅ〜１ｈと対応するように下ケース２の周縁部２ａ〜２ｄに複数設けられた凹形係合部２ｅ〜２ｈと、回路基板５と、電池８とを備える。各凸形係合部と１ｅ〜１ｈと各凹形係合部２ｅ〜２ｈとが係合することにより、両ケース１、２が嵌合されて、該両ケース１、２で囲まれた内部空間に回路基板５と電池８が収納されている。そして、特定の凸形係合部１ｈと凹形係合部２ｈとの係合量は、他の凸形係合部１ｅ〜１ｇと凹形係合部２ｅ〜２ｇとの係合量より大きくなっている。【選択図】図１
2018152742.tif 000002
【特許請求の範囲】
【請求項１】
第１ケースと、
第２ケースと、
前記第１ケースの第１周縁部に複数設けられた第１係合部と、
前記第１係合部と対応するように、前記第２ケースの第２周縁部に複数設けられた第２係合部と、
電子部品と、を備え、
前記各第１係合部と各第２係合部とが係合することにより、前記両ケースが嵌合されて、該両ケースで囲まれた内部空間に前記電子部品が収納された携帯機において、
前記第１係合部と前記第２係合部のうち、一方は側方へ突出するように凸形に形成され、他方は前記側方へ窪むように凹形に形成され、
特定の前記第１係合部と前記第２係合部との係合量は、他の前記第１係合部と前記第２係合部との係合量より大きい、ことを特徴とする携帯機。
【請求項２】
請求項１に記載の携帯機において、
前記特定の第１係合部と第２係合部との係合部分は、前記他の第１係合部と第２係合部との係合部分より、当該携帯機の重心の近くに位置している、ことを特徴とする携帯機。
【請求項３】
請求項１または請求項２に記載の携帯機において、
少なくとも先端部が前記両ケースで囲まれた内部空間に収納されるメカニカルキーと、
隣接する前記第１ケースの一側面と前記第２ケースの一側面のうち、いずれか一方または両方に渡って設けられ、前記内部空間に対して前記メカニカルキーの少なくとも前記先端部を挿抜するための挿抜口と、をさらに備え、
前記特定の第１係合部と第２係合部との係合部分は、前記他の第１係合部と第２係合部との係合部分より、前記挿抜口の近くに位置している、ことを特徴とする携帯機。
【請求項４】
請求項１ないし請求項３のいずれかに記載の携帯機において、
隣接する前記第１ケースの一側面と前記第２ケースの一側面のうち、いずれか一方または両方に渡って設けられ、前記両ケースの嵌合を解除するための治具が差し込まれる差し込み凹部をさらに備え、
前記特定の第１係合部と第２係合部との係合部分は、前記他の第１係合部と第２係合部との係合部分より、前記差し込み凹部の近くに位置している、ことを特徴とする携帯機。
【請求項５】
請求項１ないし請求項４のいずれかに記載の携帯機において、
前記特定の第１係合部と第２係合部のうち、凸形に形成された特定の凸形係合部の突出高さは、前記他の第１係合部と第２係合部のうち、凸形に形成された他の凸形係合部の突出高さより高い、ことを特徴とする携帯機。
【請求項６】
請求項１ないし請求項５のいずれかに記載の携帯機において、
前記特定の第１係合部と第２係合部のうち、凹形に形成された特定の凹形係合部の窪み深さは、前記他の第１係合部と第２係合部のうち、凹形に形成された他の凹形係合部の窪み深さより深い、ことを特徴とする携帯機。
【発明の詳細な説明】
【技術分野】
【０００１】
本発明は、複数ピースで構成されたケース内に電子部品を収納する携帯機に関し、特にケースの嵌合構造に関する。
【背景技術】
【０００２】
たとえば、車両用の電子キーとして用いられる携帯機では、複数ピースで構成されたケース内に、回路基板や電池などの電子部品などが収納されている。そして、落下などの衝撃が加わった場合に、電子部品が飛び出さないように、ケース同士の嵌合を強固に保つことが求められている。また、電池交換などの保守を行う場合には、治具などによりケース同士の嵌合を容易に解除できることが求められている。
【０００３】
そのため、特許文献１では、下ケースの長手方向と平行な両側面に、複数の嵌合爪を形成し、上ケースの長手方向と平行な内周面に、各嵌合爪を嵌合させる複数の嵌合溝を形成している。また、上ケースまたは下ケースの周縁部に、ケース同士の嵌合を解除するためのコインを挿入する窪みを形成している。そして、この窪みから最も離れた位置にある嵌合爪に、窪みから離れるに連れて、下ケースの側面から離れるように、傾斜面を形成している。
【０００４】
また、特許文献２では、電池カバーの周縁部に、垂直方向係止爪を複数設け、各垂直方向係止爪に、外方へ向かって突出する鉤部を形成している。また、ケース本体に、電池カバーを長手方向にスライドさせることにより、各鉤部と係合する複数の外側突起と、各垂直方向係止爪と係合する複数の内側突起とを設けている。
【０００５】
また、特許文献３では、キーホルダを取り付けるために、上ケースと下ケースにそれぞれループ状部を設け、該両ループ状部の合わせ面に、ケース同士の嵌合を解除するためのコインを挿入する貫通孔を設けている。
【先行技術文献】
【特許文献】
【０００６】
【特許文献１】特開２０１４−１０７７０７号公報
【特許文献２】特開２００７−３３５２０１号公報
【特許文献３】特開２０００−１５１１３４号公報
【発明の概要】
【発明が解決しようとする課題】
【０００７】
本発明の課題は、落下時の衝撃などに対してケース同士の嵌合を強固に保つ一方で、保守時などにはケース同士の嵌合を解除し易くした携帯機を提供することである。
【課題を解決するための手段】
【０００８】
本発明による携帯機は、第１ケースと、第２ケースと、第１ケースの第１周縁部に複数設けられた第１係合部と、該第１係合部と対応するように、第２ケースの第２周縁部に複数設けられた第２係合部と、電子部品とを備え、各第１係合部と各第２係合部とが係合することにより、両ケースが嵌合されて、該両ケースで囲まれた内部空間に電子部品が収納されている。そして、第１係合部と第２係合部のうち、一方は側方へ突出するように凸形に形成され、他方は該側方へ窪むように凹形に形成され、特定の第１係合部と第２係合部との係合量は、他の第１係合部と第２係合部との係合量より大きくなっている。
【０００９】
本発明によると、第１ケースに設けられた各第１係合部と、第２ケースに設けられた各第２係合部とが凹凸で係合することにより、ケース同士が嵌合される。そして、第１係合部と第２係合部との係合量を、全ての係合部について同一とするのではなく、特定の第１係合部と第２係合部との係合量が、他の第１係合部と第２係合部との係合量より大きくなっている。これにより、特定の第１係合部と第２係合部との係合強度を、他の第１係合部と第２係合部との係合強度より高くすることができる。このため、通常時はもちろん落下時においても、係合強度の高い特定の第１係合部と第２係合部との係合部分が効果的に作用して、ケース同士の嵌合を強固に保つことが可能となる。また、保守時などには、特定の第１係合部と第２係合部との係合強度より、他の第１係合部と第２係合部との係合強度が低いので、全ての係合部分の係合強度を同程度に高くした場合より、ケース同士の嵌合を解除し易くなる。
【００１０】
本発明では、特定の第１係合部と第２係合部との係合部分は、他の第１係合部と第２係合部との係合部分より、携帯機の重心の近くに位置していてもよい。
【００１１】
また、本発明による携帯機は、少なくとも先端部が両ケースで囲まれた内部空間に収納されるメカニカルキーと、隣接する第１ケースの一側面と第２ケースの一側面のうち、いずれか一方または両方に渡って設けられ、内部空間に対してメカニカルキーの少なくとも先端部を挿抜するための挿抜口とをさらに備えていてもよく、特定の第１係合部と第２係合部との係合部分は、他の第１係合部と第２係合部との係合部分より、挿抜口の近くに位置していてもよい。
【００１２】
また、本発明による携帯機は、隣接する第１ケースの一側面と第２ケースの一側面のうち、いずれか一方または両方に渡って設けられ、両ケースの嵌合を解除するための治具が差し込まれる差し込み凹部をさらに備えていてもよく、特定の第１係合部と第２係合部との係合部分は、他の第１係合部と第２係合部との係合部分より、差し込み凹部の近くに位置していてもよい。
【００１３】
また、本発明では、特定の第１係合部と第２係合部のうち、凸形に形成された特定の凸形係合部の突出高さは、他の第１係合部と第２係合部のうち、凸形に形成された他の凸形係合部の突出高さより高くてもよい。
【００１４】
さらに、本発明では、特定の第１係合部と第２係合部のうち、凹形に形成された特定の凹形係合部の窪み深さは、他の第１係合部と第２係合部のうち、凹形に形成された他の凹形係合部の窪み深さより深くてもよい。
【発明の効果】
【００１５】
本発明によれば、落下時の衝撃などに対してケース同士の嵌合を強固に保つ一方で、保守時などにはケース同士の嵌合を解除し易くした携帯機を提供することが可能となる。
【図面の簡単な説明】
【００１６】
【図１】本発明の実施形態による携帯機の分解斜視図である。
【図２】図１の携帯機の正面図である。
【図３】図２のＸ矢視図である。
【図４】図２のＹ矢視図である。
【図５】図２のＺ矢視図である。
【図６】図２のＡ−Ａ断面図である。
【図７】図２のＢ−Ｂ断面図である。
【図８】図２のＣ−Ｃ断面図である。
【図９】本発明の他の実施形態による携帯機の部分断面図である。
【発明を実施するための形態】
【００１７】
以下、本発明の実施形態につき、図面を参照しながら説明する。各図において、同一部分および対応する部分には同一符号を付している。
【００１８】
図１は、実施形態の携帯機１００の分解斜視図である。図２は、携帯機１００の正面図である。図３は、図２のＸ矢視図である。図４は、図２のＹ矢視図である。図５は、図２のＺ矢視図である。図６は、図２のＡ−Ａ断面図である。図７は、図２のＢ−Ｂ断面図である。図８は、図２のＣ−Ｃ断面図である。
【００１９】
携帯機１００は、たとえば、自動四輪車などの車両に搭載された車載機と無線で通信する電子キーである。車載機は、携帯機１００と通信した無線信号に基づいて、携帯機１００の認証を行い、該認証結果に基づいて、車両のドアの施解錠やエンジンの始動などの車載機器の動作を制御する。
【００２０】
図１に示すように、携帯機１００には、上ケース１、下ケース２、上ホルダ３、下ホルダ４、回路基板５、防水ラバー６、ボタン７、電池８、およびメカニカルキー９が備わっている。ケース１、２とホルダ３、４は、それぞれ２ピースで構成されている。
【００２１】
上ケース１と下ケース２は矩形の箱状に形成されている。図１では、各ケース１、２の内側を示し、図２〜図５では、各ケース１、２の外面を示している。図２〜図８に示すように、上ケース１と下ケース２とを嵌合することによって、該両ケース１、２で囲まれる内部空間に、ホルダ３、４、回路基板５、防水ラバー６、ボタン７、電池８、およびメカニカルキー９の一部が収納される。上ケース１と下ケース２は、それぞれ本発明の「第１ケース」と「第２ケース」の一例である。
【００２２】
図１に示すように、回路基板５には、通信回路などの電気回路５ａが形成されている。電気回路５ａは、電池８の電力により駆動される。電池８は、ボタン電池であって、下ホルダ４に設けられた電池保持部４ａに対して着脱可能である。回路基板５は、図８などに示すように、上ホルダ３と下ホルダ４の間に挟持される。回路基板５と電池８は、本発明の「電子部品」の一例である。
【００２３】
防水ラバー６は、上ホルダ３の上に配置され、回路基板５を防水する。防水ラバー６の上部には、図１に示すように、複数の操作子６ａが設けられている。各操作子６ａ上には、ボタン７が配置される。ボタン７は、図２に示すように、上ケース１に形成された貫通孔１ｐから押し操作可能に露出する。図８に示すように、各操作子６ａの下端には、導体から成る可動接触子６ｂが連結されている。可動接触子６ｂは、上ホルダ３に形成された貫通孔３ａを貫通している。図８では、一方の操作子６ａおよび可動接触子６ｂを図示している。
【００２４】
図２などに示すボタン７は、たとえば、車両のドアの施解錠を遠隔操作するために操作される。ボタン７を押し操作することで、ボタン７が防水ラバー６の操作子６ａを押し下げる。すると、図８に示す可動接触子６ｂが下降して、回路基板５に形成された複数の固定接点５ｂに接触する。これにより、固定接点５ｂ間が導通して、ボタン７の押し操作に応じた操作信号が、回路基板５の電気回路（通信回路）５ａから車載機に送信される。
【００２５】
図１に示すメカニカルキー９は、たとえば、車両のドアを機械的に施解錠するためのものである。図４に示すように、下ケース２の短手方向と平行な一側面には、メカニカルキー９の先端からブレード部９ｂを挿抜するための挿抜口２ｓが形成されている。メカニカルキー９のブレード部９ｂは、挿抜口２ｓから両ケース１、２で囲まれた内部空間に収納される（図６、図７）。
【００２６】
図１および図８などに示すように、下ケース２の内側には、メカニカルキー９のブレード部９ｂを保持するためのキー保持部２ｎが設けられている。キー保持部２ｎには、ブレード部９ｂを脱落しないように支持する支持ばね２ｍ（図１）が設けられている。
【００２７】
図１などに示すように、メカニカルキー９の頭部９ａには、貫通孔９ｃが設けられている。メカニカルキー９のブレード部９ｂがケース１、２内に収納された状態では、少なくとも貫通孔９ｃが露出するように、頭部９ａの頭頂側（ブレード部９ｂと反対側）の一部分は、両ケース１、２から外方へ突出する（図２、図７）。頭部９ａの根元側（ブレード部９ｂ側）の一部分は、ケース１、２に没入する。
【００２８】
メカニカルキー９は、大部分が金属で形成されている。メカニカルキー９の頭部９ａは、ブレード部９ｂより重くなっている。このため、図２に示すように、携帯機１００にメカニカルキー９を装着した状態では、携帯機１００の重心Ｇが頭部９ａのある挿抜口２ｓ（図４）の近傍に位置する。そして、携帯機１００が落下した場合には、メカニカルキー９の頭部９ａがある携帯機１００の側部（挿抜口２ｓ側の部分）が先に地面などに衝突する。
【００２９】
図４に示すように、挿抜口２ｓが形成された下ケース２の一側面と隣接する、上ケース１の一側面には、差し込み凹部１ｓが形成されている。この差し込み凹部１ｓには、両ケース１、２の嵌合を解除するための治具１０（図１）が差し込まれる。差し込み口１ｓと挿抜口２ｓは、携帯機１００の重心Ｇの近傍に設けられている。
【００３０】
図１および図６〜図８に示すように、上ケース１の各側面の周縁部１ａ〜１ｄには、凸形係合部１ｅ〜１ｈと合わせ面１ｉ〜１Ｌとが設けられている。各凸形係合部１ｅ〜１ｈは、各周縁部１ａ〜１ｄの外側面から外側方へ山状に突出するように形成されている。図７に示す周縁部１ｄに設けられた凸形係合部１ｈの突出高さＨ１は、図６および図８に示す他の周縁部１ａ〜１ｃに設けられた凸形係合部１ｅ〜１ｇの突出高さＨ２より高くなっている（Ｈ１＞Ｈ２）。
【００３１】
各合わせ面１ｉ〜１Ｌは、各周縁部１ｅ〜１ｈの各凸形係合部１ｅ〜１ｈより上側かつ外側にあって、下方へ面するように設けられている。各凸形係合部１ｅ〜１ｈと各合わせ面１ｉ〜１Ｌとは、各周縁部１ｅ〜１ｈに沿って延びるように形成されている。
【００３２】
下ケース２の各側面の周縁部２ａ〜２ｄには、凹形係合部２ｅ〜２ｈが設けられている。各凹形係合部２ｅ〜２ｈは、上ケース１の各凸形係合部１ｅ〜１ｈに対応するように設けられている。
【００３３】
各凹形係合部２ｅ〜２ｈは、各周縁部２ａ〜２ｄの内側面に側方へ谷状に窪むように形成されている。各凹形係合部２ｅ〜２ｈの窪み方向は、上ケース１の各凸形係合部１ｅ〜１ｈの突出方向と同一の外側方である。各凹形係合部２ｅ〜２ｈの窪み深さは同一である。各凹形係合部２ｅ〜２ｈは、各周縁部２ａ〜２ｄに沿って延びるように形成されている。
【００３４】
上ケース１の各周縁部１ａ〜１ｄと下ケース２の各周縁部２ａ〜２ｄとを対向させた後、図６〜図８に示すように、上ケース１の各凸形係合部１ｅ〜１ｈと下ケース２の各凹形係合部２ｅ〜２ｈとをそれぞれ係合させる。これにより、上ケース１の各合わせ面１ｉ〜１Ｌと下ケース２の各周縁部２ａ〜２ｄとが当接した状態で、上ケース１と下ケース２とが嵌合される。
【００３５】
図７に示す凸形係合部１ｈと凹形係合部２ｈとの係合量は、図６および図８に示す他の凸形係合部１ｅ〜１ｇと凹形係合部２ｅ〜２ｇとの係合量より大きくなっている。この係合量とは、凸形係合部１ｅ〜１ｈと凹形係合部２ｅ〜２ｈとの係合深さ、凸形係合部１ｅ〜１ｈと凹形係合部２ｅ〜２ｈとの接触面積、または凹形係合部２ｅ〜２ｈに嵌入する凸形係合部１ｅ〜１ｈの体積などのことである。このため、凸形係合部１ｈと凹形係合部２ｈとの係合強度が、他の凸形係合部１ｅ〜１ｇと凹形係合部２ｅ〜２ｇとの係合強度より高くなっている。
【００３６】
係合量が大きい凸形係合部１ｈと凹形係合部２ｈの係合部分は、他の凸形係合部１ｅ〜１ｇと凹形係合部２ｅ〜２ｇの係合部分より、携帯機１００の重心Ｇ、挿抜口２ｓ、および差し込み口１ｓの近くに位置している。つまり、携帯機１００の重心Ｇ、挿抜口２ｓ、および差し込み口１ｓの近くあるケース１、２同士の嵌合部分の係合強度（凸形係合部１ｈと凹形係合部２ｈの係合強度）は、他の嵌合部分の係合強度（凸形係合部１ｅ〜１ｇと凹形係合部２ｅ〜２ｇの係合強度）より高くなっている。
【００３７】
通常の携帯機１００の取扱い時に、両ケース１、２の嵌合が意図せず解除されないように、両ケース１、２の係合強度、すなわち各凸形係合部１ｅ〜１ｈと各凹形係合部２ｅ〜２ｈの係合強度は設定されている。通常の携帯機１００の取扱い時とは、携帯機１００の利用者による携帯時、ボタン７の操作時、またはメカニカルキー９の挿抜時などのことである。また、携帯機１００の落下時にも、ケース１、２の嵌合が意図せず解除されないように、各凸形係合部１ｅ〜１ｈと各凹形係合部２ｅ〜２ｈの係合強度は設定されている。
【００３８】
たとえば、電池８の交換などの保守時に、上ケース１と下ケース２の嵌合を意図して解除する場合は、先端が−字状に形成された治具１０（図１）を差し込み口１ｓに差し込んで、該治具１０を捻る。すると、まず、図７に示す上ケース１の合わせ面１Ｌと下ケース２の周縁部２ｄとが離間して、凸形係合部１ｈと凹形係合部２ｈの係合が解除される。次に、差し込み口１ｓに近い方から、図８に示す上ケース１の合わせ面１ｊ、１ｋと下ケース２の周縁部２ｂ、２ｃとが離間して行って、凸形係合部１ｆ、１ｇと凹形係合部２ｆ、２ｇの係合が解除されて行く。そして最後に、手などにより、差し込み口１ｓと反対側にある、図６に示す上ケース１の合わせ面１ｉと下ケース２の周縁部２ａとを離間させて、凸形係合部１ｅと凹形係合部２ｅの係合を解除する。これにより、上ケース１と下ケース２の嵌合が解除されて、電池８の交換などが可能となる。
【００３９】
以上の実施形態によると、上ケース１に設けられた各凸形係合部１ｅ〜１ｈと、下ケース２に設けられた各凹形係合部２ｅ〜２ｈとが凹凸で係合することにより、ケース１、２同士が嵌合される。そして、凸形係合部１ｅ〜１ｈと凹形係合部２ｅ〜２ｈとの係合量を、全ての係合部について同一とするのではなく、特定の凸形係合部１ｈと凹形係合部２ｈとの係合量を、他の凸形係合部１ｅ〜１ｇと凹形係合部２ｅ〜２ｇとの係合量より大きくしている。これにより、特定の凸形係合部１ｈと凹形係合部２ｈとの係合強度を、他の凸形係合部１ｅ〜１ｇと凹形係合部２ｅ〜２ｇとの係合強度より高くすることができる。
【００４０】
このため、通常時はもちろん落下時においても、係合強度の高い特定の凸形係合部１ｈと凹形係合部２ｈとの係合部分が効果的に作用して、ケース１、２同士の嵌合を強固に保つことが可能となる。また、保守時などにケース１、２を開く場合は、特定の凸形係合部１ｈと凹形係合部２ｈとの係合強度より、他の凸形係合部１ｅ〜１ｇと凹形係合部２ｅ〜２ｇとの係合強度が低いので、全ての係合部分の係合強度を同程度に高くした場合より、ケース１、２同士の嵌合を解除し易くなる。
【００４１】
また、以上の実施形態では、特定の凸形係合部１ｈと凹形係合部２ｈとの係合部分が、他の凸形係合部１ｅ〜１ｇと凹形係合部２ｅ〜２ｇとの係合部分より、携帯機１００の重心Ｇおよびメカニカルキー９の頭部９ａがある挿抜口２ｓの近くに位置している。このため、携帯機１００の落下時に、携帯機１００の重心Ｇに近いメカニカルキー９の頭部９ａ側の側部が地面などに衝突して、該側部に強い衝撃が加わっても、該側部の近傍にある凸形係合部１ｈと凹形係合部２ｈとの係合強度が高いので、ケース１、２同士の嵌合が外れて内部の電子部品が飛び出すのを防止できる。つまり、携帯機１００の落下耐性を高くすることが可能となる。
【００４２】
また、以上の実施形態では、特定の凸形係合部１ｈと凹形係合部２ｈとの係合部分が、他の凸形係合部１ｅ〜１ｇと凹形係合部２ｅ〜２ｇとの係合部分より、差し込み凹部１ｓの近くに位置している。このため、係合部１ｈ、２ｈの係合強度が高くても、差し込み凹部１ｓに差し込んだ治具１０により、近くにある係合部１ｈ、２ｈの係合を解除することができる。また、他の凸形係合部１ｅ〜１ｇと凹形係合部２ｅ〜２ｇとの係合強度は低いので、係合部１ｈ、２ｈの係合を解除すれば、係合部１ｅ〜１ｇ、２ｅ〜２ｇの係合を容易に解除することができる。これによって、ケース１、２同士の嵌合の解除がし易くなる。
【００４３】
さらに、以上の実施形態では、特定の凸形係合部１ｈの突出高さＨ１を、他の凸形係合部１ｅ〜１ｇの突出高さＨ２より高くすることにより、特定の凸形係合部１ｈと凹形係合部２ｈとの係合量を、他の凸形係合部１ｅ〜１ｇと凹形係合部２ｅ〜２ｇとの係合量より大きくしている。このため、特定の凸形係合部１ｈと凹形係合部２ｈとの係合強度を、他の凸形係合部１ｅ〜１ｇと凹形係合部２ｅ〜２ｇとの係合強度より確実に高くすることができるとともに、各凹形係合部２ｅ〜２ｈの形状を同一にして、該凹形係合部２ｅ〜２ｈが設けられる下ケース２を製造し易くすることができる。
【００４４】
本発明では、以上述べた以外にも、種々の実施形態を採用することができる。たとえば、以上の実施形態では、図６〜図８に示したように、ケース１、２のうち、内側に位置するケース１の周縁部１ａ〜１ｄの外側面に凸形係合部１ｅ〜１ｈを設け、外側に位置するケース２の周縁部２ａ〜２ｄの内側面に凹形係合部２ｅ〜２ｈを設けた例を示したが、本発明はこれのみに限定するものではない。たとえば、図９に示す他の実施形態のように、ケース１’、２’のうち、外側に位置するケース１’の周縁部１ａ’、１ｄ’の内側面に凸形係合部１ｅ’、１ｈ’を設け、内側に位置するケース２’の周縁部２ａ’、２ｄ’の外側面に凹形係合部２ｅ’、２ｈ’を設けてもよい。
【００４５】
図９（ｂ）に示す凸形係合部１ｈ’の突出高さは、図９（ａ）に示す凸形係合部１ｅ’の突出高さと同一であるが、図９（ｂ）に示す凹形係合部２ｈ’の窪み深さＤ１は、図９（ａ）に示す凹形係合部２ｅ’の窪み深さＤ２より深くなっている（Ｄ１＞Ｄ２）。このため、凸形係合部１ｈ’と凹形係合部２ｈ’との係合量は、凸形係合部１ｅ’と凹形係合部２ｅ’との係合量より大きくなり、凸形係合部１ｈ’と凹形係合部２ｈ’との係合強度は、凸形係合部１ｅ’と凹形係合部２ｅ’との係合強度より高くなっている。
【００４６】
たとえば、図２に示した携帯機１００のメカニカルキー９と反対側の側部と、携帯機１００の長手方向と平行な両側部とに、図９（ａ）に示すような、凸形係合部１ｅ’と凹形係合部２ｅ’との係合構造を設け、図２に示す携帯機１００のメカニカルキー９側の側部に、図９（ｂ）に示すような、凸形係合部１ｈ’と凹形係合部２ｈ’との係合構造を設ける。
【００４７】
このようにしても、携帯機１００の重心Ｇ、メカニカルキー９の挿抜口２ｓ、および治具１０の差し込み凹部１ｓの近くに位置する、特定の凸形係合部１ｈ’と凹形係合部２ｈ’との係合強度を、他の位置にある凸形係合部１ｅ’と凹形係合部２ｅ’との係合強度より高くすることができる。そして、通常時や落下時にはケース１’、２’同士の嵌合を強固に保ち、保守時などにはケース１’、２’同士の嵌合を容易に解除することができる。また、特定の凸形係合部１ｈ’と凹形係合部２ｈ’との係合強度を、他の凸形係合部１ｅ’と凹形係合部２ｅ’との係合強度より確実に高くすることができるとともに、各凸形係合部１ｅ’、１ｈ’の形状を同一にして、該凸形係合部１ｅ’、１ｈ’が設けられる上ケース１’を製造し易くすることができる。
【００４８】
また、以上の実施形態では、上ケース１、１’に凸形係合部１ｅ〜１ｈ、１ｅ’、１ｈ’を設け、下ケース２、２’に凹形係合部２ｅ〜２ｈ、２ｅ’、２ｈ’を設けた例を示したが、本発明はこれのみに限定するものではない。逆に、上ケースに凹形係合部を設け、下ケースに凸形係合部を設けてもよい。
【００４９】
また、図６〜図８の実施形態では、特定の凸形係合部１ｈの突出高さＨ１を、他の凸形係合部１ｅ〜１ｇの突出高さＨ２より高くすることにより、特定の凸形係合部１ｈと凹形係合部２ｈとの係合量を、他の凸形係合部１ｅ〜１ｇと凹形係合部２ｈとの係合量より大きくした例を示した。また、図９の実施形態では、特定の凹形係合部２ｈ’の窪み深さＤ１を、他の凹形係合部２ｅ’の窪み深さＤ２より深くすることにより、特定の凸形係合部１ｈ’と凹形係合部２ｈ’との係合量を、他の凸形係合部１ｅ’と凹形係合部２ｈ’との係合量より大きくした例を示した。しかし、本発明はこれらのみに限定するものではなく、たとえば、特定の凸形係合部の突出高さを他の凸形係合部の突出高さより高くし、かつ特定の凹形係合部の窪み深さを他の凹形係合部の窪み深さより深くすることにより、特定の凸形係合部と凹形係合部との係合量を、他の凸形係合部と凹形係合部との係合量より大きくしてもよい。
【００５０】
また、以上の実施形態では、特定の凸形係合部１ｈ、１ｈ’と凹形係合部２ｈ、２ｈ’との係合部分を、他の凸形係合部１ｅ〜１ｇ、１ｅ’と凹形係合部２ｅ〜２ｇ、２ｅ’との係合部分より、携帯機１００の重心Ｇ、挿抜口２ｓ、および差し込み凹部１ｓの近くに位置させた例を示したが、本発明はこれのみに限定するものではない。特定の凸形係合部と凹形係合部との係合部分は、他の凸形係合部と凹形係合部との係合部分より、携帯機１００の重心Ｇ、挿抜口２ｓ、または差し込み凹部１ｓのうち、少なくとも１つの近くに位置させてもよい。また、特定の凸形係合部と凹形係合部との係合部分を、他の凸形係合部と凹形係合部との係合部分より、携帯機１００の重心Ｇ、挿抜口２ｓ、および差し込み凹部１ｓの近くに位置させずに、携帯機１００の他の部分に位置させてもよい。
【００５１】
また、以上の実施形態では、上下に隣接する上ケース１の一側面と下ケース２の一側面のうち、上ケース１の一側面に差し込み凹部１ｓを設け、下ケース２の一側面に挿抜口２ｓを設けた例を示したが、本発明はこれのみに限定するものではない。これ以外に、たとえば、差し込み凹部を下ケース２の一側面に設けたり、挿抜口を上ケース１の一側面に設けたりしてもよい。また、上ケース１と下ケース２のうち、一方の一側面に差し込み凹部を設け、他方の一側面に挿抜口を設ける場合は、該一側面同士が隣接してもよいし、隣接しなくてもよい。また、上ケース１と下ケース２のいずれか一方の一側面に差し込み凹部と挿抜口を両方とも設けてもよい。さらに、隣接する上ケース１の一側面と下ケース２の一側面とに渡って、差し込み凹部や挿抜口を設けてもよい。すなわち、隣接する上ケース１の一側面と下ケース２の一側面のうち、一方の一側面に、差し込み凹部や挿抜口の一部を形成し、他方の一側面に、差し込み凹部や挿抜口の他部を形成し、上ケース１と下ケース２とを嵌合させることにより、差し込み凹部や挿抜口が構成されるようにしてもよい。また、他の例として、差し込み凹部１ｓや挿抜口２ｓやメカニカルキー９を携帯機１００に設けなくてもよい。
【００５２】
また、以上の実施形態では、上ケース１と下ケース２で囲まれる内部空間に収納される電子部品として、回路基板５と電池８を例に挙げたが、本発明はこれのみに限定するものではなく、他の電子部品も上ケース１と下ケース２で囲まれる内部空間に収納してもよい。
【００５３】
また、以上の実施形態では、治具１０を差し込み凹部１ｓに差し込んで、ケース１、２の嵌合を解除した例を挙げたが、本発明はこれのみに限定するものではなく、他の器具や工具やその他のものを差し込み凹部１ｓに差し込んで、ケース１、２の嵌合を解除してもよい。また、携帯機１００に差し込み凹部１ｓを設けない場合は、ケース１、２の隙間に、治具などを差し込んで、ケース１、２の嵌合を解除してもよい。
【００５４】
また、以上の実施形態では、メカニカルキー９のブレード部９ｂと頭部９ａの一部分を、ケース１、２内に収納した例を示したが、本発明はこれのみに限定するものではなく、メカニカルキー９のブレード部９ｂだけ、頭部９ａの大部分、またはメカニカルキー９全体をケース１、２内に収納してもよい。
【００５５】
さらに、以上の実施形態では、自動四輪車用の電子キーである携帯機１００に、本発明を適用した例を挙げたが、本発明は、自動二輪車や大型自動車などの他の車両用の携帯機や、車両用以外の用途の携帯機にも、適用することが可能である。
【符号の説明】
【００５６】
１、１’  上ケース
１ａ〜１ｄ、１ａ’、１ｄ’  上ケースの周縁部
１ｅ〜１ｈ、１ｅ’、１ｈ’  凸形係合部
１ｓ  差し込み凹部
２、２’  下ケース
２ａ〜２ｄ、２ａ’、２ｄ’  下ケースの周縁部
２ｅ〜２ｈ、２ｅ’、２ｈ’  凹形係合部
２ｓ  挿抜口
５  回路基板
８  電池
９  メカニカルキー
９ｂ  ブレード部
１０  治具
１００  携帯機
Ｄ１、Ｄ２  窪み深さ
Ｇ  重心
Ｈ１、Ｈ２  突出高さ
【図１】
2018152742.tif 000003
【図２】
2018152742.tif 000004
【図３】
2018152742.tif 000005
【図４】
2018152742.tif 000006
【図５】
2018152742.tif 000007
【図６】
2018152742.tif 000008
【図７】
2018152742.tif 000009
【図８】
2018152742.tif 000010
【図９】
2018152742.tif 000011